(57)【要約】【課題】シャドウバンドの位置決め精度を高め、高精度の気象データを得ることができるようにすること。【解決手段】本発明は、日射量を測定するための主センサと、前記主センサの近傍に配置された複数の副センサと、回転機構の軸に連結され、該軸を中心にして前記主センサ及び前記複数の副センサの頂上を経由して回転するように構成されたシャドウバンドと、前記軸の回転角度を制御するために、前記回転機構の駆動を制御する制御回路と、前記主センサによって測定される日射量データ及び前記軸の回転角度データに基づいて、所定の気象データを算出する演算装置とを備え、前記演算装置は、前記複数の副センサのうちの第１副センサ及び第２副センサのそれぞれによって測定される日射量データ及び前記回転角度データに基づいて補正値を算出し、該算出した前記補正値に基づいて前記軸の回転角度を補正する、気象観測装置。【選択図】図１
2014013189.tif 000002
【特許請求の範囲】
【請求項１】
日射量を測定するための主センサと、
前記主センサの近傍に配置され、日射量を測定するための複数の副センサと、
回転機構と、
前記回転機構の軸に連結され、該軸の方向に延伸し、該軸を中心にして前記主センサ及び前記複数の副センサの頂上を経由して回転するように構成されたシャドウバンドと、
前記軸の回転角度を制御するために、前記回転機構の駆動を制御する制御回路と、
前記主センサによって測定される日射量に関するデータ及び前記軸の回転角度に関するデータに基づいて、所定の気象データを算出する演算装置と、を備え、
前記演算装置は、
前記複数の副センサのうちの第１副センサ及び第２副センサのそれぞれによって測定される日射量に関するデータ及び前記回転角度に関するデータに基づいて、補正値を算出し、
算出した前記補正値に基づいて、前記軸の回転角度を補正する、
気象観測装置。
【請求項２】
前記演算装置は、
前記回転角度に関するデータの変化に対する、前記第１副センサ及び前記第２副センサのそれぞれによって測定された日射量に関するデータの変化に基づいて、前記補正値を算出する、請求項１に記載の気象観測装置。
【請求項３】
前記演算装置は、
前記第１副センサ及び前記第２副センサのそれぞれについての、前記日射量に関するデータの変化における少なくとも２つのピーク値を算出し、該少なくとも２つのピーク値に基づいて、前記補正値を算出する、請求項２に記載の気象観測装置。
【請求項４】
前記演算装置は、
前記第１副センサについての前記日射量に関するデータの変化における正及び負のピーク値のそれぞれに対応する前記回転角度の第１の中間値及び前記第２副センサについての前記日射量に関するデータの変化における正及び負のピーク値のそれぞれに対応する前記回転角度の第２の中間値を算出し、該第１の中間値及び該第２の中間値から算出される中間値に基づいて、前記ずれ量を算出する、請求項３に記載の気象観測装置。
【請求項５】
前記第１副センサ及び前記第２副センサは、前記主センサを点対称の中心として、前記軸の方向に沿ってそれぞれ配設される、請求項１に記載の気象観測装置。
【請求項６】
前記第１副センサ及び前記第２副センサは、前記主センサを点対称の中心として、前記軸に対して直交する方向にそれぞれ配設される、請求項１に記載の気象観測装置。
【請求項７】
前記主センサ及び前記複数の副センサは、基準面から所定の高さに位置するように配置される、請求項１に記載の気象観測装置。
【請求項８】
前記主センサは、基準面から第１の高さに位置するように配置され、前記複数のセンサは、基準面から第２の高さに位置するように配置される、請求項１に記載の気象観測装置。
【請求項９】
回転機構の軸方向に延伸し、該軸を中心にして回転するシャドウバンドを備えた気象観測装置におけるデータ処理方法であって、
日射量を測定するための主センサ、及び該主センサの近傍に配置された、光量を測定するための複数の副センサの頂上を経由するように、前記シャドウバンドを回転させるステップと、
前記軸の回転角度に併せて前記複数の副センサのそれぞれによって光量を測定するステップと、
前記測定された光量に関するデータ及び前記軸の回転角度に関するデータに基づいて、補正値を算出するステップと、
前記主センサにより散乱日射量を測定するためのシャドウバンドの回転角度を、前記算出された補正値に基づいて、補正するステップと、
を含む、データ処理方法。
【発明の詳細な説明】
【技術分野】
【０００１】
本発明は、気象観測装置に関し、特に、シャドウバンドを備えた気象観測装置及びこれを用いた気象観測方法に関する。
【背景技術】
【０００２】
従来より、気象観測に関わる各種の日射量を測定する気象観測装置が提案されている。このような気象観測においては、主に、全天日射量、直達日射量及び散乱日射量が測定される。例えば、大気の混濁や太陽光パネルの発電効率を評価する上で、全天日射量や散乱日射量は重要な評価項目である。典型的な気象観測装置は、全天日射量及び散乱日射量を測定し、全天日射量から散乱日射量を引くことにより直達日射量を求めている。シャドウバンドを備えた気象観測装置は、それ単体で、これらの日射量を得ることができる。また、かかる気象観測装置は、１つのセンサーのみを用いることから、センサー間の個体上のばらつきが測定結果に影響されにくい。
【０００３】
下記の特許文献１は、シャドウバンドを備えた気象観測装置による気象量の測定方法を開示する。かかる測定方法では、軸を南北方向に沿うように気象観測装置を設置した後、センサを全天日射・照度状態に晒す位置に、シャドウバンドを配置させて第１の気象量を測定した後、当該センサへの太陽からの直達光を遮蔽する位置に当該シャドウバンドを配置させて第２の気象量を測定し、そして、当該センサへの太陽からの直達光を遮蔽する位置を基準として、東西方向にそれぞれ所定の角度だけ回転させた位置に当該シャドウバンドを配置させて、第３及び第４の気象量を測定する。
【先行技術文献】
【特許文献】
【０００４】
【特許文献１】特開２００８-３０４０号公報
【発明の概要】
【発明が解決しようとする課題】
【０００５】
従来のシャドウバンドを備えた気象観測装置は、設置される場所の緯度・経度を考慮して太陽の理論的な位置を算出し、これに対応するシャドウバンドの位置（回転角度）を算出する。しかしながら、その前提として、気象観測装置の軸を南北方向に正しく一致させなければ、日射量を測定するセンサとシャドウバンドとの間の位置的関係に誤差が含まれてしまい、精度良く気象データを測定することができない。
【０００６】
また、実際には、シャドウバンドを回転制御する際の位置決め精度は十分ではなく、結果として、精度の高い気象観測データを得ることができないという課題があった。これに対処するため、シャドウバンドの位置決め精度を、機械的精度を高めて向上させるというアプローチは、より高価な部品を用いる必要があり、気象観測装置のコストが高くなるという課題に直面する。
【０００７】
そこで、本発明は、高精度の気象データを得ることができる気象観測装置を提供することを目的としている。
【０００８】
より具体的には、本発明の一つの目的は、日射センサに対する理論的な太陽の位置とシャドウバンドの位置とのずれ量を求め、該ずれ量を補正したシャドウバンドの位置で日射量（散乱日射量）を測定することにより、高精度の気象データを得ることができる気象観測装置を提供することである。
【課題を解決するための手段】
【０００９】
第１の観点に従う本発明は、日射量を測定するための主センサと、前記主センサの近傍に配置され、日射量を測定するための複数の副センサと、回転機構と、前記回転機構の軸に連結され、該軸の方向に延伸し、該軸を中心にして前記主センサ及び前記複数の副センサの頂上を経由して回転するように構成されたシャドウバンドと、前記軸の回転角度を制御するために、前記回転機構の駆動を制御する制御回路と、前記主センサによって測定される日射量に関するデータ及び前記軸の回転角度に関するデータに基づいて、所定の気象データを算出する演算装置と、を備える気象観測装置である。前記演算装置は、前記複数の副センサのうちの第１副センサ及び第２副センサのそれぞれによって測定される日射量に関するデータ及び前記回転角度に関するデータに基づいて、補正値を算出し、算出した前記補正値に基づいて、前記軸の回転角度を補正するように構成される。
【００１０】
また、前記演算装置は、前記回転角度に関するデータの変化に対する、前記第１副センサ及び前記第２副センサのそれぞれによって測定された日射量に関するデータの変化に基づいて、前記補正値を算出する。
【００１１】
また、前記演算装置は、前記第１副センサ及び前記第２副センサのそれぞれについての、前記日射量に関するデータの変化における少なくとも２つのピーク値を算出し、該少なくとも２つのピーク値に基づいて、前記補正値を算出する。
【００１２】
また、前記演算装置は、前記第１副センサについての前記日射量に関するデータの変化における正及び負のピーク値のそれぞれに対応する前記回転角度の第１の中間値及び前記第２副センサについての前記日射量に関するデータの変化における正及び負のピーク値のそれぞれに対応する前記回転角度の第２の中間値を算出し、該第１の中間値及び該第２の中間値から算出される中間値に基づいて、前記ずれ量を算出する。
【００１３】
前記第１副センサ及び前記第２副センサは、前記主センサを点対称の中心として、前記軸の方向に沿ってそれぞれ配設されても良いし、前記第１副センサ及び前記第２副センサは、前記主センサを点対称の中心として、前記軸に対して直交する方向にそれぞれ配設されても良い。
【００１４】
また、前記主センサ及び前記複数の副センサは、基準面から所定の高さに位置するように配置されても良いし、前記主センサは、基準面から第１の高さに位置するように配置され、前記複数のセンサは、基準面から第２の高さに位置するように配置されても良い。
【００１５】
第２の観点に従う本発明は、回転機構の軸方向に延伸し、該軸を中心にして回転するシャドウバンドを備えた気象観測装置におけるデータ処理方法である。かかる方法は、日射量を測定するための主センサ、及び該主センサの近傍に配置された、光量を測定するための複数の副センサの頂上を経由するように、前記シャドウバンドを回転させるステップと、  前記軸の回転角度に併せて前記複数の副センサのそれぞれによって光量を測定するステップと、前記測定された光量に関するデータ及び前記軸の回転角度に関するデータに基づいて、補正値を算出するステップと、前記主センサにより散乱日射量を測定するためのシャドウバンドの回転角度を、前記算出された補正値に基づいて、補正するステップと、を含む。
【発明の効果】
【００１６】
本発明によれば、日射量を測定するセンサとシャドウバンドとの間の位置的な誤差量を求めるので、該誤差量を補正したシャドウバンドの位置で日射量（散乱日射量）を測定することができ、従って、高精度の気象データを得ることができるようになる。特に、シャドウバンドを回転させる機構の機械的誤差や南北方向に対して軸がずれている場合であっても、シャドウバンドを正しい位置に補正するので、高精度の気象データを得ることができる。
【００１７】
本発明の他の技術的特徴及び作用効果乃至は利点は、添付した図面を参照して説明される以下の実施形態により明らかにされる。
【図面の簡単な説明】
【００１８】
【図１】本発明の一実施形態に係る気象観測装置の外観の一例を概略的に示す斜視図である。
【図２】本発明の一実施形態に係る気象観測装置の外観の一例を概略的に示す平面図である。
【図３】本発明の一実施形態に係る気象観測装置の機能的な構成の一例を示すブロックダイアグラムである。
【図４】本発明の一実施形態に係る気象観測装置の動作の一例を示すフローチャートである。
【図５】本発明の一実施形態に係る気象観測装置における補正値算出のための前処理の一例を示すフローチャートである。
【図６】本発明の一実施形態に係る気象観測装置における補正値算出処理の一例を示すフローチャートである。
【図７】本発明の一実施形態に係る気象観測装置における気象データ観測処理の一例を示すフローチャートである。
【図８】本発明の一実施形態に係る気象観測装置により測定された測定データの一例を示すグラフである。
【図９】図８に示したグラフにおける回転角度毎の傾きを示すグラフである。
【図１０】図８及び図９に示したグラフを重畳させたグラフである。
【発明を実施するための形態】
【００１９】
以下、図面を参照して本発明の実施の形態を説明する。ただし、以下に説明する実施形態は、あくまでも例示であり、明示しない種々の変形や技術の適用を排除する意図はない。即ち、本発明は、その趣旨を逸脱しない範囲で種々変形（例えば、各実施形態を組み合わせる等）して実施することができる。また、以下の図面の記載において、同一又は類似の部分には同一又は類似の符号を付して表している。図面は模式的なものであり、必ずしも実際の寸法や比率等とは一致しない。図面相互間においても互いの寸法の関係や比率が異なる部分が含まれていることがある。
【００２０】
図１は、本発明の一実施形態に係る気象観測装置の外観の一例を概略的に示す斜視図である。また、図２は、本発明の一実施形態に係る気象観測装置の外観の一例を概略的に示す平面図である。
【００２１】
図１に示すように、気象観測装置１０は、筐体１１と、筐体１１の前面端部から延在するアーム１２上に設けられたセンサユニット１３と、該前面端部からアーム１２と同方向に延在する軸１４に取り付けられたシャドウバンド１５と、を備える。図示されてはいないが、軸１４は、筐体１１内に設けられた回転機構３２の軸と連結されている。回転機構３２は、典型的には、モータ３２１を含み、演算処理装置３４の制御の下、駆動回路３３により駆動制御される（図３参照）。
【００２２】
センサユニット１３は、気象観測に関する少なくとも１つ以上のセンサを含んで構成される。本例のセンサユニット１３は、少なくとも１つの主センサ１３１と、少なくとも２つの副センサ１３２Ａ及び１３２Ｂとを備える。本明細書では、主センサ１３１並びに副センサ１３２Ａ及び１３２Ｂをまとめて「複数のセンサ１３０」ということもある。主センサ１３１は、例えば、熱電素子（サーモパイル）を用いた熱センサであり、日射による熱量を電気信号に変換し、これを測定データとして出力する。一方、副センサ１３２Ａ及び１３２Ｂは、例えば、シリコンフォトダイオードを用いた光センサであり、光量を電気信号に変換し、これを測定データとして出力する。なお、主センサ１３１は、熱センサの代わりに、光センサや分光放射計であっても良く、また、副センサ１３２Ａ及び１３２Ｂは、光センサの代わりに、熱センサであっても良い。複数のセンサ１３０は、日射量やスペクトルを測定するために用いることができるセンサであれば、これらに限られない。
【００２３】
主センサ１３１は、気象観測装置１０が所望の場所に設置されたときに概ね天頂を向くように設けられている。主センサ１３１は、筐体１１がセンサ視野に入らないよう、典型的には、気象観測装置１０底面を基準面として、該基準面から所定の高さに位置するようにアーム１２上に設けられる。なお、水平線近くに位置する太陽による日射量を測定するため、水平方向に向く別の主センサ１３１が設けられても良い。
【００２４】
副センサ１３２Ａ及び１３２Ｂは、例えば、軸１４の延伸方向に一致するように整列してアーム１２上に設けられている。本例では、副センサ１３２Ａ及び１３２Ｂは、主センサ１３１を点対称の中心として、軸１４の軸線上に整列して設けられている。従って、気象観測装置１０は、アーム１２（及び軸１４）の延伸方向が南北に一致するように、設置される。従って、気象観測装置１０がこのように設置された場合、主センサ１３１と副センサ１３２Ａ及び１３２Ｂとは南北方向に一列に並ぶことになる。他の例として、副センサ１３２Ａ及び１３２Ｂは、主センサ１３１を点対称の中心として、軸方向に直交する方向に整列して設けられても良い。
【００２５】
主センサ１３１と副センサ１３２Ａ及び１３２Ｂとは、例えば、同一水平面に位置するように設けられる。即ち、主センサ１３１と副センサ１３２Ａ及び１３２Ｂとは、基準面から同じ高さに位置するように設けられる。或いは、主センサ１３１は、基準面から第１の高さに位置するように設けられ、副センサ１３２Ａ及び１３２Ｂは、当該第１の高さと異なる第２の高さに（例えば、第１の高さより低く又は高く）設けられても良い。
【００２６】
なお、本例では、センサユニット１３は、主センサ１３１と副センサ１３２Ａ及び１３２Ｂとを含む一体のデバイスとして構成されたが、これに限られず、それぞれ別体のセンサとして構成されても良い。
【００２７】
シャドウバンド１５は、複数のセンサ１３０に対する遮蔽部材であり、軸１４に取り付けられている。シャドウバンド１５は、同図から明らかなように、円弧状に所定の幅を持って形成され、軸１４の回転に伴って複数のセンサ１３０の頂上を経由して回転するように構成される。言い換えれば、シャドウバンド１５が描く軌跡は、主センサ１３１を中心とする仮想的な略半球面を形成する。シャドウバンド１５の幅は、概して、複数のセンサ１３０の有効感度領域の大きさによって決定される。
【００２８】
図示されてはいないが、気象観測装置１０は、その筐体１１内部に、シャドウバンド１５を軸回転させ、複数のセンサ１３０から出力される測定データを処理するための各種の機械的・電気的構成要素を含んで構成される。
【００２９】
図３は、本発明の一実施形態に係る気象観測装置の機能的な構成要素の一例を示すブロックダイアグラムである。
【００３０】
上述したように、主センサ１３１は、日射量を測定する熱センサであり、測定した日射量に応じた電気信号を出力する。一方、副センサ１３２Ａ及び１３２Ｂは、光量を測定する光センサであり、測定した光量に応じた電気信号を出力する。これらの電気信号は、測定データとして、Ａ／Ｄ変換器３１に入力される。
【００３１】
Ａ／Ｄ変換器３１は、センサ１３０から送られるアナログの測定データを、デジタルの測定データに変換する。測定データは、例えば、１６ビットのデータセットからなる。Ａ／Ｄ変換器３１によりデジタルに変換された測定データは、演算処理装置３４に入力される。
【００３２】
回転機構３２は、シャドウバンド１５を回転させるためのモータ３２１を含む。本例では、モータ３２１は、減速機つきのステッピングモータであるが、これに限られるものではない。モータ３２１の軸は軸１４に連結されている。回転機構３２はまた、エンコーダ３２２を含むこともできる。エンコーダ３２２は、軸１４の回転角度の変化量を非接触で検出し、これを演算処理装置３４に出力する。エンコーダ３２２は、例えば、回転角度０．４度の分解能を有する。
【００３３】
駆動回路３３は、モータ３２１を駆動制御するための回路であり、演算処理装置３４の制御の下、例えばパルス状の駆動信号をモータ３２１に出力する。駆動回路３３は、例えば、シャドウバンド１５を東側水平面以下（例えば天頂から−１００度）から西側水平面以下（例えば天頂から＋１００度）までの範囲の任意の角度に移動させる。
【００３４】
演算処理装置３４は、気象観測装置１０の動作を統括的に制御して、気象観測装置１０に所望の気象データを測定させ、算出させるように構成された回路である。演算処理装置３４は、典型的には、プロセッサ３４１と、プログラムメモリ３４２と、データメモリ３４３とを含み、これらは内部バス３４４を介して相互に接続されている。なお、同図には示されていないが、演算処理装置３４は、プロセッサ３４１の利用に供されるキャッシュメモリや主メモリを含む。これらは、プロセッサ３４１の一部として構成されても良い。
【００３５】
具体的には、演算処理装置３４は、プロセッサ３４１がプログラムメモリ３４２に記憶された制御プログラム（図示せず）を実行することにより、駆動回路３３を制御してシャドウバンド１５を回転させながら、複数のセンサ１３０のそれぞれから送られる測定データを、Ａ／Ｄ変換器３１を介して、受け付ける。制御プログラムは、補正値を算出するために、副センサ１３２Ａ及び１３２Ｂを用いた測定動作を行うためのシーケンス（補正値算出のための前処理シーケンス）と、気象データを測定するために、主センサ１３１を用いた測定動作を行うためのシーケンス（気象データ測定処理シーケンス）とを含む。気象データは、例えば、全天日射量データ及び散乱日射量データである。プログラムメモリ３４２はまた、太陽位置情報を記憶している。太陽位置情報は、気象観測装置１０が設置された場所（緯度・経度）及び測定日時に対応する太陽の理論的な位置を示す情報（例えば、方位及び仰角等）である。太陽位置情報は緯度・経度・時刻をもとに制御プログラムによって求められも良い。制御プログラムは、該太陽位置情報を用いて、シャドウバンド１５の位置（回転角度）を制御する。演算処理装置３４は、プロセッサ３４１の制御の下、受け付けた測定データをデータメモリに記憶し、必要な処理を行う。
【００３６】
プログラムメモリ３４２及びデータメモリ３４３は、例えば、フラッシュメモリ等の書き換え可能な不揮発性メモリにより構成されるが、これに限られるものではない。本例では、プログラムメモリ３４２及びデータメモリ３４３は別体のメモリとして表されているが、これに限られるものでなく、一体的に構成されたものであっても良い。
【００３７】
また、気象観測装置１０は、外部のコンピュータデバイスと通信するための外部インターフェース３４５を備えても良い。外部インターフェース３４５は、例えば、有線／無線ＬＡＮの規格に準拠した回路を含み、外部デバイスと所定のプロトコルで通信を行うことができるように構成される。これにより、例えば、ユーザは、パーソナルコンピュータ上のＷｅｂブラウザから気象観測装置１０にリモートアクセスし、種々の設定等を行うための操作をすることができるようになる。また、外部インターフェース３４５は、例えば、カードメモリのような外部記録媒体とのアクセスを可能にするスロットを含んでいても良い。
【００３８】
本例では、演算処理装置３４は、気象観測装置１０の筐体１１内部に設けられているものとして説明されているが、これに限られるものではない。他の例として、演算処理３４装置は、気象観測装置１０とは独立に構成されても良く、例えば、外部インターフェース３４５を介して接続されたパーソナルコンピュータにより実現されてもよい。
【００３９】
また、図示されていないが、気象観測装置１０は、時計機構を含んで構成される。時計機構は、例えば、演算処理装置３４の機能の一部として組み込まれていても良い。演算処理装置３４は、時計機構によって得られる日時情報を気象データの測定に用いる。
【００４０】
図４は、本発明の一実施形態に係る気象観測装置の動作の一例を示すフローチャートである。気象観測装置１０のかかる動作は、例えば、演算処理装置３４のプロセッサ３４１がプログラムメモリ３４２に記憶された制御プログラムを実行することにより、実現される。
【００４１】
即ち、同図に示すように、気象観測装置１０は、稼働中、予め決められた測定時刻になったか否かを監視している（ＳＴＥＰ４０１）。一例として、測定時刻は、日の出から日の入りまでの間の毎時０分と設定される。或いは、測定時刻は、１０分おき、１５分おき、３０分おき、又はそれ以上の間隔というように設定される。気象観測装置１０は、予め決められた測定時刻になったと判断した場合（ＳＴＥＰ４０１のＹｅｓ）、補正値を算出するための前処理を行う（ＳＴＥＰ４０２）。補正値算出のための前処理の詳細は、図５及び図６を参照して説明される。補正値算出のための前処理の後、気象観測装置１０は、気象データを測定するための処理を行う（ＳＴＥＰ４０３）。気象データ測定処理は、全天日射量の測定と散乱日射量の測定を含む。気象データ測定処理の詳細は、図７を参照して説明される。気象観測装置１０は、当該測定時刻での気象データ測定処理の後、次の測定時刻まで待機することとなる。
【００４２】
上記の例においては、補正値算出のための前処理は、気象データ測定処理の前に必ず実行されるように構成されているが、これにこだわるものではない。例えば、測定時刻の間隔が比較的短い場合には、数回の気象データ観測処理の前に１回の割合で補正値算出のための前処理が実行されるように構成されても良い（例えば、気象データ測定処理が１０分おきに設定されている場合、１時間おきに補正値算出のための前処理が実行される。）。かかる構成によれば、補正値算出のための前処理の回数が省略されるため、真の測定処理である気象データ測定処理が終了するまでの時間を短縮することができるようになる。
【００４３】
図５は、本発明の一実施形態に係る気象観測装置における補正値算出のための前処理の一例を示すフローチャートである。
【００４４】
同図に示すように、気象観測装置１０は、まず、シャドウバンド１５を回転させて、所定の開始位置まで移動させる（ＳＴＥＰ５０１）。開始位置は、例えば、シャドウバンド１５の回転範囲限界の一方端の位置（即ち、−１００度）である。次に、気象観測装置１０は、シャドウバンド１５を回転させながら、副センサ１３２Ａ及び１３２Ｂから出力される測定データをサンプリングし（ＳＴＥＰ５０２）、サンプリングされた測定データをシャドウバンド１５の回転角度と関連付けてデータメモリ３４３に記録する（ＳＴＥＰ５０３）。
【００４５】
即ち、気象観測装置１０は、シャドウバンド１５を所定の回転角度の位置で停止させ、副センサ１３２Ａ及び１３２Ｂから出力される測定データを収集し、所定の時間経過した後、次の位置までシャドウバンド１５を段階的に回転（例えば０．４度）、停止させ、同様に、測定データを収集するという処理を繰り返す。所定の時間内に収集された測定データは、回転角度毎の日射量（光量）の大きさを示すことになる。シャドウバンド１５の回転速度は、副センサ１３２Ａ及び１３２Ｂの出力動作が追随できる速度であれば良い。従って、一般に、副センサ１３２Ａ及び１３２Ｂに応答速度の速い光センサが用いられた場合、比較的早い回転速度でシャドウバンド１５を連続的に回転させることができる。
【００４６】
このようにして、気象観測装置１０は、シャドウバンド１５が終了位置（回転範囲限界の他方端の位置（即ち、＋１００度）に到達するまで、測定データをサンプリングし、記録する（ＳＴＥＰ５０４のＮｏ）。気象観測装置１０は、シャドウバンド１５の掃引による測定データの収集が終了すると（ＳＴＥＰ５０４のＹｅｓ）、（回転角度と関連付けられた）測定データに基づいて補正値を算出する（ＳＴＥＰ５０５）。
【００４７】
本例では、シャドウバンド１５の開始位置及び終了位置をそれぞれ、回転範囲限界の両端位置としたが、これに限られるものではない。他の例として、気象観測装置１０は、太陽位置情報に基づく測定時刻の太陽の位置を中心に東西方向にそれぞれ例えば２０度の範囲内で測定データをサンプリング、記録するようにしても良い。これにより、太陽の位置から大きく外れた、補正値算出に実質的に影響を及ぼさないような位置にシャドウバンド１５を移動させる必要がなく、測定データの収集時間を短縮することができ、また、補正値の算出時間を短縮することができる。
【００４８】
図６は、本発明の一実施形態に係る気象観測装置における補正値算出処理の一例を示すフローチャートである。
【００４９】
同図に示すように、気象観測装置１０は、まず、データメモリ３４３に記録された測定データに基づいて、副センサ１３２Ａ及び１３２Ｂのそれぞれについての回転角度毎の傾きを算出する（ＳＴＥＰ６０１）。本例では、回転角度を段階的に等角度で増分させているので、傾きは次の簡易な式を用いることができる。即ち、回転角度Ａ(x-2)、Ａ(x-1)，Ａ(x)，Ａ(x+1)及びＡ(x+2)のそれぞれにおける測定データをａ(x-2)，ａ(x-1)，ａ(x)，ａ(x+1)及びａ(x+2)とした場合、回転角度Ａ(x)における傾きＤ(x)は、
傾きＤ(x)＝−｛（ａ(x-2)＋ａ(x-1)）−（ａ(x+1)＋ａ(x+2)）｝  …  式１
として定義される。
【００５０】
次に、気象観測装置１０は、算出された傾きＤ(x)に基づいて、正負のピーク値（極大値及び極小値）を特定する（ＳＴＥＰ６０２）。ここで、極大値及び極小値は、副センサ１３２Ａ及び１３２Ｂのそれぞれについて特定される正負のピーク値であることに留意されたい。
【００５１】
続いて、気象観測装置１０は、特定した極大値及び極小値がシャドウバンド１５を用いた測定により現れたものか否かを判断する。即ち、予期しない遮蔽物（例えば、人、鳥、雲等）が副センサ１３２Ａ及び１３２Ｂの上方を遮った場合であっても、測定データは傾きを含み、意図しない極大値及び極小値が特定される可能性があるからである。本例では、次の２つの条件によって判断される。
【００５２】
第１に、気象観測装置１０は、極大値及び極小値を特定するために用いた測定データについて、所定のしきい値を超えているか否かを判断する（ＳＴＥＰ６０３）。本例では、気象観測装置１０は、個々の測定データと所定のしきい値とを比較し、所定のしきい値を超えている個々の測定データの数が所定の数以上である場合に、所定のしきい値を超えていると判断している。第２に、気象観測装置１０は、特定した極大値及び極小値が太陽の理論位置から所定の範囲内にあるか否かを判断する（ＳＴＥＰ６０４）。気象観測装置１０は、ＳＴＥＰ６０３または６０４のいずれかで、条件を満たさないと判断する場合には、例えば収集した測定データをリセットする等のエラー処理を行う（ＳＴＥＰ６０７）。
【００５３】
なお、本例では、極大値及び極小値を特定した後に、それらが意図したものであるか否かの判断を行ったが、これに限られるものでない。例えば、測定データが得られた時点で、その測定データの特徴（例えば、光量の減少量及びその減少期間）に基づいて、正しい測定データが収集されたか否かを判断するように構成しても良い。
【００５４】
気象観測装置１０は、上記条件を満たすと判断する場合（ＳＴＥＰ６０４のＹｅｓ）、続いて、極大値及び極小値のそれぞれを示す回転角度間の差分値を算出し、さらに、該差分値に基づいて中間値（個別中間値）を算出する（ＳＴＥＰ６０５）。例えば、ある副センサ１３２について、極大値を示す回転角度が１．４度であり、極小値を示す回転角度が１２．２度であれば、その個別中間値は５．４度となる。副センサ１３２Ａ及び１３２Ｂのそれぞれについて個別中間値を算出すると、気象観測装置１０は、これらの個別中間値間のさらなる中間値（共通中間値）を算出する（ＳＴＥＰ６０６）。例えば、副センサ１３２Ａについての個別中間値が５．４度であり、副センサ１３２Ｂについての個別中間値が５．１度であるとすると、共通中間値は５．２５度となる。共通中間値は、補正値として、気象データ測定処理におけるシャドウバンド１５の位置を補正するために用いられる。気象観測データ１０は、算出された補正値をデータメモリ３４３の所定の領域に記憶する。
【００５５】
上記の補正値算出処理は、次の考え方に基づくものである。即ち、副センサ１３２Ａによって得られた測定データに基づく傾きのピーク値は、最も急峻な変化点を示しており、ここがシャドウバンド１５の影のエッジということができる。従って、正及び負のピーク値はそれぞれ影に入るエッジ及び影から出るエッジを示し、これらピーク値の中心位置が当該副センサ１３２Ａに対する影の中心位置と考えることができる。同様に、副センサ１３２Ｂに対する正負のピーク値の中心位置は当該副センサ１３２Ａに対する影の中心位置となる。そして、主センサ１３１は、これら副センサ１３２Ａ及び１３２Ｂの中心に配置されているため、副センサ１３２Ａ及び１３２Ｂの影の中心位置どうしの中心位置は、主センサ１３１に対して正確な影を作るシャドウバンド１５の位置としてみなすことができる。
【００５６】
図７は、本発明の一実施形態に係る気象観測装置における気象データ観測処理の一例を示すフローチャートである。
【００５７】
即ち、同図に示すように、気象観測装置１０は、まず、主センサ１３１が全天日射の状態となる位置にシャドウバンド１５を移動させる（ＳＴＥＰ７０１）。即ち、主センサ１３１がシャドウバンド１５による影の影響を受けないように、気象観測装置１０は、シャドウバンド１５を、例えば、回転範囲限界の一方端に移動させる。この状態で、気象観測装置１０は、所定の時間、主センサ１３１から出力される測定データ（即ち、全天日射量データ）を収集し、データメモリ１３４に記録する（ＳＴＥＰ７０２）。
【００５８】
次に、気象観測装置１０は、太陽位置情報に基づいて、太陽の理論的な位置に対応するシャドウバンド１５の回転角度を算出する（ＳＴＥＰ７０３）。太陽の理論的な位置とは、気象観測装置１０が設置された場所の緯度・経度及び測定日時に基づいて算出された、主センサ１３１から見た太陽の位置であり、例えば、方位及び仰角で特定される。続いて、気象観測装置１０は、該理論的な位置に対応する回転角度を補正値で示される回転角度で置換し、該補正値で示される回転角度の位置にシャドウバンド１５を移動させる（ＳＴＥＰ７０４）。これにより、太陽光はシャドウバンド１５で遮られ、主センサ１３１上に影が形成されることになる。そして、気象観測装置１０は、主センサ１３１から出力される測定データ（散乱日射量データ）を収集し、記録する（ＳＴＥＰ７０５）。
【００５９】
図示されていないが、気象観測装置１０は、得られた全天日射量データ及び散乱日射量データに基づいて、直達日射量を算出することができる。他の例としては、気象観測装置１０は、得られた全天日射量データ及び散乱日射量データを外部のコンピュータに出力し、外部のコンピュータが、直達日射量を算出するようにしても良い。
【実施例】
【００６０】
図５に示したように、気象観測装置１０は、シャドウバンド１５を開始位置から終了位置まで掃引させながら、副センサ１３２Ａ及び１３２Ｂから出力される測定データをサンプリングし、該サンプリングされた測定データをシャドウバンド１５の回転角度と関連付けてデータメモリ３４３に記録する。このようにして収集された、ある測定場所及び測定時刻における測定データと回転角度との関係をグラフに示すと図８のようになる。本例では、シャドウバンド１５の回転範囲は、−１００度から＋１００度、回転角度０．４毎で、測定データは５０１個である。同図において、縦軸は副センサ１３２によって測定された光量の大きさを示し、横軸はシャドウバンド１５の回転角度を示す。同図では、回転角度約＋０〜２０度付近において、２個の副センサ１３２Ａ及び１３２Ｂの光量が大きく減少変化した特徴が示されている。
【００６１】
気象観測装置１０は、データメモリ３４３に記録された、図８に示すような特徴を有する測定データに基づいて、副センサ１３２Ａ及び１３２Ｂのそれぞれについての回転角度毎の傾きを算出する（ＳＴＥＰ６０１）。上述したように、ここでは式１を用いる。式１を用いて、図８に示したグラフにおける回転角度毎の傾きを示すと図９のようになる。同図では、副センサ１３２Ａ及び１３２Ｂのそれぞれについて、正負のピーク値が示されている。即ち、正負のピーク値は、傾きの急峻な変化点を示しており、シャドウバンド１５の影のエッジに対応する。従って、正及び負のピーク値はそれぞれ影に入るエッジ及び影から出るエッジを示している。
【００６２】
図１０は、上述した図８及び図９に示したグラフを１つにして拡大したグラフである。気象観測装置１０は、副センサ１３２Ａ及び１３２Ｂのそれぞれについて、特定された正負のピーク値に対応する回転角度の差分値ｄ１及びｄ２を算出し、その中間値（個別中間値）ｉ１及びｉ２を算出する。そして、気象観測装置１０は、個別中間値ｉ１とｉ２との間の中間値（共通中間値）Ｃを算出する。この共通中間値Ｃが、補正値として、気象データ測定処理におけるシャドウバンド１５の位置を補正するために用いられる。つまり、正負ピーク値の中心位置が当該副センサ１３２に対する影の中心位置と考えることができる。主センサ１３１は、これら副センサ１３２Ａ及び１３２Ｂの中心に配置されているため、副センサ１３２Ａ及び１３２Ｂの影の中心位置どうしの中心位置は、主センサ１３１に対して正確な影を作るシャドウバンド１５の位置としてみなすことができる。
【産業上の利用可能性】
【００６３】
本発明は、日射量を測定するための、シャドウバンドを備えた気象観測装置及びこれを用いた気象観測方法に広く適用することができる。
【符号の説明】
【００６４】
１０…気象観測装置
１１…筐体
１２…アーム
１３…センサユニット
１３１…主センサ
１３２…副センサ
１４…軸
１５…シャドウバンド
３１…Ａ／Ｄ変換器
３２…回転機構
３２１…モータ
３２２…エンコーダ
３３…駆動回路
３４…演算処理回路
３４１…プロセッサ
３４２…プログラムメモリ
３４３…データメモリ
３４４…バス
３４５…外部インターフェース
【図１】
2014013189.tif 000003
【図２】
2014013189.tif 000004
【図３】
2014013189.tif 000005
【図４】
2014013189.tif 000006
【図５】
2014013189.tif 000007
【図６】
2014013189.tif 000008
【図７】
2014013189.tif 000009
【図８】
2014013189.tif 000010
【図９】
2014013189.tif 000011
【図１０】
2014013189.tif 000012